【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
撮像装置の撮像で得られた映像データを配信する映像配信装置であって、
前記撮像装置の制御権を有しない第１ノードに対して、１つ以上のノードに順次中継させて映像データを配信しているときに、前記第１ノードが前記制御権を取得した場合、前記制御権を取得する前よりも前記第１ノードに対する映像データを中継するノードの数が少なくなるように、前記映像データの配信ルートを決定する決定手段と、
前記決定手段が決定した配信ルートに基づいて映像データを配信する配信手段と、を有することを特徴とする映像配信装置。
【請求項２】
前記映像データの配信先である複数ノードのそれぞれの間における映像データの欠落頻度を取得する取得手段を有し、
前記決定手段は、前記第１ノードによる制御権の取得後の前記複数ノードの配信ルートを、前記取得された欠落頻度に基づいて決定する、ことを特徴とする請求項１に記載の映像配信装置。
【請求項３】
前記映像データの配信先である複数ノードが配信先から離脱する離脱頻度を、前記複数ノードのそれぞれについて取得する取得手段を有し、
前記決定手段は、前記第１ノードの制御権の取得後の前記複数ノードの配信ルートを、前記取得された離脱頻度に基づいて決定する、ことを特徴とする請求項１に記載の映像配信装置。
【請求項４】
前記制御権の取得要求を受信する受信手段と、
前記受信した取得要求に応じて前記決定手段が決定した配信ルートを、前記映像データの配信先である複数ノードのそれぞれに通知する通知手段と、
前記制御権の取得要求を受信してから前記通知手段による通知に応じた配信ルートの変更が終了したことを示す変更終了通知を前記複数ノードのそれぞれから受信するまでに前記受信手段が受信した前記制御権の取得要求を受け付けない禁止手段と、を更に有することを特徴とする請求項１乃至３のうちいずれか１項に記載の映像配信装置。
【請求項５】
前記第１ノードによるデータ送信能力を判定する判定手段を更に有し、
前記決定手段は、前記制御権を取得した前記第１ノードによるデータ送信能力が所定値以下であると判定手段により判定された場合、前記第１ノードがほかのノードに映像データを中継しないように配信ルートを決定する、ことを特徴とする請求項１乃至４のうちいずれか１項に記載の映像配信装置。
【請求項６】
前記決定手段は、
前記第１ノードによる制御権の取得に応じて、他のノードを介さない映像データの配信先として前記第１ノードを追加しても、前記配信手段が同時に配信可能なノード数の上限を超えない場合、前記第１ノードを前記他のノードを介さない映像データの配信先として追加し、
前記他のノードを介さない映像データの配信先として前記第１ノードを追加すると、前記配信手段が同時に配信可能なノード数の上限値を超える場合、前記第１ノードを他のノードを介した映像データの配信先とするように配信ルートを決定する、ことを特徴とする請求項１に記載の映像配信装置。
【請求項７】
前記第１ノードによる前記制御権の取得に応じた前記決定手段による配信ルートの決定に応じて、前記第１ノードに配信される映像データの一部がスキップされることを前記第１ノードに通知する通知手段を更に有する、ことを特徴とする請求項１乃至６のうちいずれか１項に記載の映像配信装置。
【請求項８】
前記第１ノードによる前記制御権の取得に応じて前記決定手段により決定された配信ルートで映像データが配信される複数ノードのうち、前記決定の前の配信ルートで映像データを配信する場合よりも前記映像データを中継するノードの数が増加するノードに対して、映像データの再生が一時停止することを通知する通知手段を有する、ことを特徴とする請求項１乃至７のうちいずれか１項に記載の映像配信装置。
【請求項９】
撮像装置の撮像で得られた映像データを配信する映像配信装置の制御方法であって、
決定手段が、前記撮像装置の制御権を有しない第１ノードに対して、１つ以上のノードに順次中継させて映像データを配信しているときに、前記第１ノードが前記制御権を取得した場合、前記制御権を取得する前よりも前記第１ノードに対する映像データを中継するノードの数が少なくなるように、前記映像データの配信ルートを決定する決定工程と、
配信手段が、前記決定工程が決定した配信ルートに基づいて映像データを配信する配信工程と、を有することを特徴とする制御方法。
【請求項１０】
撮像装置の撮像で得られた映像データを配信するコンピュータに、
前記撮像装置の制御権を有しない第１ノードに対して、１つ以上のノードに順次中継させて映像データを配信しているときに、前記第１ノードが前記制御権を取得した場合、前記制御権を取得する前よりも前記第１ノードに対する映像データを中継するノードの数が少なくなるように、前記映像データの配信ルートを決定する決定手順と、
前記決定手順が決定した配信ルートに基づいて映像データを配信する配信手順と、を実行させることを特徴とするプログラム。
【請求項１１】
撮像装置の撮像で得られた映像データを配信する映像配信装置を有する映像配信システムであって、
前記撮像装置の制御権を有しない第１ノードに対して、１つ以上のノードに順次中継させて映像データを配信しているときに、前記第１ノードが前記制御権を取得した場合、前記制御権を取得する前よりも前記第１ノードに対する映像データを中継するノードの数が少なくなるように、前記映像データの配信ルートを決定する決定手段と、
前記決定手段が決定した配信ルートに基づいて映像データを配信する配信手段と、を有することを特徴とする映像配信システム。
【請求項１２】
前記第１ノードの映像再生手段は、
前記第１ノードによる前記制御権の取得に応じて、前記決定手段が、前記第１ノードに対する映像データを中継するノードの数が少なくなるように配信ルートを決定した後に前記第１ノードが受信した映像データを早送り再生する、ことを特徴とする請求項１１に記載の映像配信システム。
【請求項１３】
前記第１ノードによる前記制御権の取得に応じて前記決定手段により決定された配信ルートで映像データが配信される複数ノードのうち、前記決定前の配信ルートで映像データを配信する場合よりも前記映像データを中継するノードの数が増加する第２ノードの映像再生手段は、前記決定手段が前記配信ルートを決定した後に前記第２ノードが受信した映像データをスロー再生する、ことを特徴とする請求項１１に記載の映像配信システム。
【手続補正２】
【補正対象書類名】明細書
【補正対象項目名】発明の名称
【補正方法】変更
【補正の内容】
【発明の名称】映像配信装置及びその制御方法、映像配信システム、プログラム
【手続補正３】
【補正対象書類名】明細書
【補正対象項目名】０００９
【補正方法】変更
【補正の内容】
【０００９】
上記の目的を達成するための本発明の一態様による映像配信装置は以下の構成を有する。即ち、
撮像装置の撮像で得られた映像データを配信する映像配信装置であって、
前記撮像装置の制御権を有しない第１ノードに対して、１つ以上のノードに順次中継させて映像データを配信しているときに、前記第１ノードが前記制御権を取得した場合、前記制御権を取得する前よりも前記第１ノードに対する映像データを中継するノードの数が少なくなるように、前記映像データの配信ルートを決定する決定手段と、
前記決定手段が決定した配信ルートに基づいて映像データを配信する配信手段と、を有する。
【手続補正４】
【補正対象書類名】明細書
【補正対象項目名】００１０
【補正方法】変更
【補正の内容】
【００１０】
また、上記の目的を達成するための本発明の他の態様による映像配信装置の制御方法は、
撮像装置の撮像で得られた映像データを配信する映像配信装置の制御方法であって、
決定手段が、前記撮像装置の制御権を有しない第１ノードに対して、１つ以上のノードに順次中継させて映像データを配信しているときに、前記第１ノードが前記制御権を取得した場合、前記制御権を取得する前よりも前記第１ノードに対する映像データを中継するノードの数が少なくなるように、前記映像データの配信ルートを決定する決定工程と、
配信手段が、前記決定工程が決定した配信ルートに基づいて映像データを配信する配信工程と、を有する。
【手続補正５】
【補正対象書類名】明細書
【補正対象項目名】００１１
【補正方法】変更
【補正の内容】
【００１１】
更に、上記の目的を達成するための本発明の他の態様による映像配信システムは以下の構成を有する。即ち、
撮像装置の撮像で得られた映像データを配信する映像配信装置を有する映像配信システムであって、
前記撮像装置の制御権を有しない第１ノードに対して、１つ以上のノードに順次中継させて映像データを配信しているときに、前記第１ノードが前記制御権を取得した場合、前記制御権を取得する前よりも前記第１ノードに対する映像データを中継するノードの数が少なくなるように、前記映像データの配信ルートを決定する決定手段と、
前記決定手段が決定した配信ルートに基づいて映像データを配信する配信手段と、を有する。